【事件の表示】
　特願２０００−２２９４６６「画像形成装置」拒絶査定不服審判事件〔平成１４年　２月　６日出願公開、特開２００２−　３６６２８〕について、次のとおり審決する。
【結　論】
　本件審判の請求は、成り立たない。
【理　由】
第１　手続の経緯　
　本願は、平成１２年７月２８日の出願であって、平成２１年１０月２１日付けで拒絶査定がなされ、これに対して、平成２２年１月２２日に拒絶査定不服審判が請求されると同時に手続補正がなされたものである。
　なお、請求人は、当審における平成２２年６月１日付け審尋に対して同年８月９日付けで回答書を提出している。
　
第２　平成２２年１月２２日付け手続補正についての補正却下の決定
　
〔補正却下の決定の結論〕
　平成２２年１月２２日付け手続補正を却下する。
　
〔理由〕
１　本件補正の内容
（１）平成２２年１月２２日付け手続補正（以下「本件補正」という。）は、特許請求の範囲及び発明の詳細な説明についてするもので、特許請求の範囲については、本件補正前の請求項１に、
　
「感光体を露光することで画像を形成する露光手段の光源として自己走査型ＬＥＤを適用した画像形成装置であって、
　全体の光量を制御するための点灯時間基準値を設定する設定手段と、
　前記画像の濃度むらを補正するための各画素の
補正量に基づいて、
　前記演算部により求められた点灯時間に基づいて、各画素のＬＥＤの点灯を制御する点灯制御手段と、
　を有することを特徴とする画像形成装置。」とあったものを、
　
「感光体を露光することで画像を形成する露光手段の光源として自己走査型ＬＥＤを適用した画像形成装置であって、
　全体の光量を制御するための点灯時間基準値を設定する設定手段と、
　前記画像の濃度むらを補正するための各画素の
濃度むら補正データを前記点灯時間基準値に乗算することにより
　前記演算手段により求められた点灯時間に基づいて、各画素のＬＥＤの点灯を制御する点灯制御手段と、
　を有することを特徴とする画像形成装置。」とする補正を含んでいる（下線は審決で付した。以下同じ。）。
　
（２）本件補正後の請求項１に係る上記（１）の補正は、本件補正前の請求項１に記載した発明を特定するために必要な事項である「各画素の補正量に基づいて、前記点灯時間基準値を補正」することについて、「各画素の濃度むら補正データを前記点灯時間基準値に乗算することにより前記点灯時間基準値を補正」するとして、「補正量」が「濃度むら補正データ」であり、かつ、「基づいて」補正することが「前記点灯時間基準値に乗算することにより」補正することであると限定するものである。
　
２　本件補正の目的
　本件補正後の請求項１に係る上記１（２）の補正は、本件補正前の請求項１に記載した発明を特定するために必要な事項を限定するものであるから、平成１４年法律第２４号改正附則第２条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
　原査定の拒絶の理由に引用された「本願の出願前に頒布された刊行物である特開平９−３０９２２３号公報（以下「引用例」という。）」には、次の事項が図とともに記載されている。
（１）「【０００１】
【発明の属する技術分野】本発明は、
発光ダイオード（ＬＥＤ）素子を一列に配列したＬＥＤアレイの各素子を選択的に点灯してその光を感光体上に照射することにより潜像を書き込むＬＥＤ書き込み装置
　
（２）「【０００３】ところで、レーザプリンタでは出力が１０ｍＷ程度の１個の光源（レーザダイオード）を点灯してそのビームをポリゴンミラー、ｆ−θレンズ等を介して走査させるのに対し、ＬＥＤプリンタでは１画素毎に１個のＬＥＤ素子を複数個主走査方向に一列に並べて各ＬＥＤ素子に１０ｍＡ程度の駆動電流を印加して発光させる。したがって、文字出力が主要目的であって画像密度が比較的小さいプリンタや、図形などの線画のみを出力するプロッタに適用した場合には、各ＬＥＤ素子を選択的に点灯させるか又は点灯されないかのオン／オフ制御（２値制御）のみで各ＬＥＤ素子の発光バラツキは問題とならないが、デジタル
複写機に適用した場合には、
ＬＥＤ素子の発光バラツキがそのまま濃度むらとして現れたり、白筋になる
【０００４】従来、ＬＥＤ素子の発光バラツキを補正する方法としては、例えば特開昭６２−２００９６６号公報に示すように、ＬＥＤヘッドの各ＬＥＤ素子の発光バラツキに応じた補正データを予めＲＯＭに記憶し、その補正データに基づいて各ＬＥＤ素子の駆動電流を補正することにより、各ＬＥＤ素子の発光バラツキを少なくして光量分布を均一化する方法が提案されている。
【０００５】
【発明が解決しようとする課題】しかしながら、上記従来の方法では、ＬＥＤ素子の製造時の発光バラツキに応じた補正データを予めＲＯＭに記憶して補正するので、経時変化によりＬＥＤ素子の発光バラツキが発生すると、これを補正することができないという問題点がある。
【０００６】本発明は上記従来の問題点に鑑み、ＬＥＤ素子の経時変化による発光バラツキを補正することができるＬＥＤ書き込み装置を提供することを目的とする。」
　
（３）「【００１０】
【発明の実施の形態】以下、図面を参照して本発明の実施の形態について説明する。図１は本発明に係る
ＬＥＤ書き込み装置
が適用された複写機
【００１１】図１において、この複写機は概略的に、
原稿を読み取る原稿読み取り装置１００と、原稿読み取り装置１００により読み取られた原稿画像を用紙に複写するための複写装置２００と操作装置４００を有
複写装置２００は画像メモリ３０１及びシステム制御装置３０２を有する画像情報記憶装置３００と、複写回路５００を有し
【００１２】原稿読み取り装置１００では図２に示すように、ローラ１の挿入口にオペレータが原稿を挿入すると、この原稿がローラ１によりコンタクトガラス２上を搬送され、この搬送中の原稿が蛍光灯４により照明され、その反射光がレンズ５により撮像素子（ＣＣＤ）６の受光面に結像され、ＣＣＤ６により光電変換されて原稿画像が読み取られる。ＣＣＤ６により光電変換されたアナログの画像信号は、図１に示すように読み取り制御回路１０６の制御に基づいて、また、同期制御回路１０５からのクロックに同期して画像増幅回路１０１に出力されて増幅され、次いでＡ／Ｄ変換回路１０２により画素毎の多値のデジタル画像信号に変換される。
【００１３】続くシェーディング補正回路１０３は蛍光灯４の光量むら、コンタクトガラス２の汚れ、ＣＣＤ６の各素子毎の感度むら等を補正する。シェーディング補正回路１０３により補正された画像信号は、画像処理回路１０４によりデジタル記録画像情報に変換された後に
画像ページメモリ部３０１に格納される。この画像情報は適宜読み出され、複写回路５００に出力されて図５に詳しく示すＬＥＤ書き込み制御回路５０１、ＬＥＤドライバ回路５０２を介して図６に詳しく示すＬＥＤヘッド５０３に印加され、ＬＥＤヘッド５０３により画像情報に応じて変調された赤外光に変換され
【００１４】図３を参照して
複写装置２００の構成
感光体ドラム２５の表面
ＬＥＤヘッド５０３の赤外光により潜像が形成される
各赤外光を
照射する
【００１５】この感光体ドラム２５上の潜像は現像ユニット２７により現像される。ここで、現像ユニット２７内のトナーは攪拌されて負に帯電されて−６００Ｖのバイアスが印加されており、感光体ドラム２５上の赤外光照射部分のみにトナーが付着することにより潜像がトナーで現像される。感光体ドラム２５上のトナー像は転写チャージャ２３により用紙に転写され、次いで分離チャージャ２８によって感光体ドラム２５上から用紙が分離され、次いで感光体ドラム２５上の残存トナーがクリーニングユニット２９により除去される。
【００１６】用紙は３つの給紙台９ａ、９ｂ、９ｃにそれぞれ、幅が異なるロール紙１１ａ、１１ｂ、１１ｃの形態で予めセットされている。ロール紙１１ａ〜１１ｃは画像の大きさに応じてそれぞれフィードローラ１２ａ〜１２ｃにより選択的に給紙されてカッタ１３ａ〜１３ｃによりカットされ、次いでローラ１４ａ〜１４ｃにより搬送された後、レジストローラ２４により感光体ドラム２５上のトナー像と一致するように搬送されて転写チャージャ２３によりトナー像が転写される。次いで感光体ドラム２５から分離された用紙は、搬送ベルト３１により搬送され、定着ユニット３０によりトナーが定着され、排紙トレイ３２上に排出される。このような
複写装置２００は図１に示すプリンタ駆動制御回路５０４の制御に基づいてプリンタ駆動装置５０５により駆動される
　
（４）「【００１８】次に図５に示すＬＥＤ書き込み制御回路５０１と図６に示すＬＥＤヘッド５０３について詳しく説明する。ここで、
ＬＥＤヘッド５０３は偶数（ＥＶＥＮ）ライン用のシフトレジスタ６０２と、奇数（ＯＤＤ）ライン用のシフトレジスタ６０３と、１４３３６個のＬＥＤ素子６０４
１
〜６０４
１４３３６
より成るＬＥＤアレイ６０４と、ＬＥＤ素子６０４
１
〜６０４
１４３３６
の各発光光量をそれぞれモニタするフォトダイオード（ＰＤ）６０５
１
〜６０５
１４３３６
を有するＰＤアレイ６０５及びＣＣＤ６０６を有し、ＬＥＤ素子６０４
１
〜６０４
１４３３６
の各発光光量が検出されてＬＥＤ書き込み制御回路５０１にフィードバックされて
【００１９】
ＬＥＤ書き込み制御回路５０１には、
画像が画像メモリ３０１に一旦蓄積され
同期信号と画像クロックに同期して入力
２ライン分の（ｎライン目とｎ＋１ライン目）の画像データが同時に入力バッファ５１１を介してラインメモリ群５１２に格納され
【００２０】ラインメモリ群５１２に格納された画像データは、ＬＥＤヘッド５０３の処理周波数を下げるために、セレクタ５１３により最初にｎライン目、続けてｎ＋１ライン目の画像データが読み出され、
出力バッファ５１４を介してそれぞれ奇数ライン（ＯＤＤ）データと偶数ライン（ＥＶＥＮ）として図６に示すＬＥＤドライバ５０２を介してシフトレジスタ６０２、６０３に出力される
と共に、同期信号と、画素転送クロック信号と、発光光量を決定するデューティ比制御信号（イネーブル信号）がＬＥＤドライバ５０２に出力され
【００２１】この一連の処理はｎ＋２及びｎ＋３ライン目のデータが入力して同じラインメモリ５１２に格納される時間内に行われ、以下この処理が繰り返される。
ＬＥＤヘッド５０３に転送された画像データは偶数ライン用シフトレジスタ６０２と奇数ライン用シフトレジスタ６０３内の各ＬＥＤドット位置まで搬送され、次いで各ＬＥＤがデューティ比制御信号とその補正信号により決定される時間だけ選択的に点灯して感光体ドラム２５上を照射する
【００２２】
制御タイミング発生部５１５は図１に示すプリンタ駆動制御回路５０４内のＣＰＵ（プリンタＣＰＵ）により制御され、各種のタイミング信号を発生する
転送クロック制御部５１６は画像データの転送クロックを画像データと共に出力バッファ５１４を介してＬＥＤドライバ５０２に出力する
光量補正部５１８はＬＥＤヘッド５０３からフィードバックされたＬＥＤ素子６０４
１
〜６０４
１４３３６
の各発光光量とデータテーブルに基づいて各素子毎のバラツキを補正するための光量補正信号を光量制御部５１７に出力する
【００２３】この場合、光量補正部５１８は例えば毎日１回、最初の電源投入時のウォームアップ中にＬＥＤ素子６０４１〜６０４１４３３６を所定の駆動電流及びデューティ比で順次点灯し、各発光輝度を検出して補正量を求め、また、その結果を次の日のために更新して記憶する。また、光量補正部５１８は検出された光量測定信号が、発光量を増加させても補正しきれない所定値以下か否かを判定する比較回路を有し、所定値以下の場合にはプリンタＣＰＵにＬＥＤ異常信号を出力する。プリンタＣＰＵはこのＬＥＤ異常信号をシステム制御部３０２に送ることによりＬＥＤ異常を操作パネル４２０に表示させる。
【００２４】
光量制御部５１７はプリンタＣＰＵからの発光光量設定信号と、光量補正部５１８からのＬＥＤ素子（ドット）毎の光量補正信号に基づいて発光光量を補正し、ＬＥＤ素子が点灯する時間（デューティ比）を決定するための発光イネーブル信号を出力する
プリンタＣＰＵからの発光光量設定信号は、感光体２５の感度等のバラツキを補正するために工場出荷時に予め適正値が設定され、また、感光体２５の交換時などのメンテナンス時にサービスマンにより再設定される
【００２５】図６に示すＬＥＤドライバ５０２は、ＬＥＤ書き込み制御回路５０１からのＯＤＤデータ、ＥＶＥＮデータ、転送クロック、イネーブル信号等をＬＥＤヘッド５０３のシフトレジスタ６０２、６０３に転送するバッファと、ＣＣＤ６０６にクロックを印加してその出力を取り出し、光量測定信号として光量補正部５１８にフィードバックするＣＣＤドライブ回路などを有する。また、ＬＥＤ点灯用ＤＣ電源６０７はＬＥＤヘッド５０３とＬＥＤドライバ５０２に必要なＤＣ電源を供給する。」
　
（５）「【００２６】
【発明の効果】以上説明したように請求項１記載の発明によれば、
複数のＬＥＤ素子の各発光輝度を検出して所定値になるように制御する
ＬＥＤ素子の経時変化による発光バラツキを補正することができる
　
（６）上記（１）ないし（５）から、引用例には、次の発明が記載されているものと認められる。
「発光ダイオード（ＬＥＤ）素子を一列に配列したＬＥＤアレイの各素子を選択的に点灯してその光を感光体上に照射することにより潜像を書き込むＬＥＤ書き込み装置が適用された複写機であって、
　原稿を読み取る原稿読み取り装置と、原稿読み取り装置により読み取られた原稿画像を用紙に複写するための複写装置と、操作装置とを有し、
　前記複写装置は、画像メモリ及びシステム制御装置を有する画像情報記憶装置と、ＬＥＤ書き込み制御回路、ＬＥＤドライバ回路及びＬＥＤヘッドを有する複写回路とを有し、プリンタ駆動制御回路の制御に基づいてプリンタ駆動装置により駆動され、前記画像メモリ部に格納された画像情報を適宜読み出し、前記複写回路に出力し、前記ＬＥＤ書き込み制御回路、前記ＬＥＤドライバ回路を介して前記ＬＥＤヘッドに印加し、該ＬＥＤヘッドにより画像情報に応じて変調して赤外光に変換し、感光体ドラムである前記感光体の表面に前記ＬＥＤヘッドの赤外光を照射して潜像を形成するように構成されている複写機において、
　ＬＥＤ素子の発光バラツキがそのまま濃度むらとして現れるので、
　前記ＬＥＤヘッドを、偶数ライン用のシフトレジスタ、奇数ライン用のシフトレジスタ、１４３３６個のＬＥＤ素子より成るＬＥＤアレイ、ＬＥＤ素子の各発光光量をそれぞれモニタするフォトダイオード（ＰＤ）を有するＰＤアレイ及びＣＣＤを有するものとして、前記ＬＥＤ素子の各発光光量を検出して前記ＬＥＤ書き込み制御回路にフィードバックするようにし、
　前記ＬＥＤ書き込み制御回路を、入力バッファ、ラインメモリ群、出力バッファ、制御タイミング発生部、転送クロック制御部、光量補正部及び光量制御部を備えたものとして、前記画像メモリに一旦蓄積された画像を、同期信号と画像クロックに同期して入力し、２ライン分の画像データを同時に前記入力バッファを介して前記ラインメモリ群に格納し、前記出力バッファを介して前記ＬＥＤドライバ回路に出力すると共に、同期信号、画素転送クロック信号及び発光光量を決定するデューティ比制御信号である発光イネーブル信号も前記ＬＥＤドライバ回路に出力するようにし、
　前記ＬＥＤヘッドでは、転送された画像データを偶数ライン用シフトレジスタと奇数ライン用シフトレジスタ内の各ＬＥＤドット位置まで搬送し、次いで各ＬＥＤが前記デューティ比制御信号とその補正信号により決定される時間だけ選択的に点灯して感光体ドラム２５上を照射するようにし、
　前記制御タイミング発生部が前記プリンタ駆動制御回路内のプリンタＣＰＵにより制御されて各種のタイミング信号を発生し、前記転送クロック制御部が画像データの転送クロックを画像データと共に前記出力バッファを介して前記ＬＥＤドライバ回路に出力し、前記光量補正部が前記ＬＥＤヘッドからフィードバックされた前記ＬＥＤ素子の各発光光量とデータテーブルに基づいて各素子毎のバラツキを補正するための光量補正信号を前記光量制御部に出力し、前記光量制御部が前記プリンタＣＰＵからのデューティ比制御信号である発光光量設定信号を前記光量補正部からのデューティ比制御信号の補正信号であるＬＥＤ素子（ドット）毎の光量補正信号に基づいて補正しＬＥＤ素子が点灯する時間（デューティ比）を決定するための前記記発光イネーブル信号として出力することにより、複数のＬＥＤ素子の各発光輝度を検出して所定値になるように制御してＬＥＤ素子の経時変化による発光バラツキを補正することができるようにした、ＬＥＤ書き込み装置が適用された複写機。
　ここで、前記プリンタＣＰＵからの発光光量設定信号は、感光体の感度等のバラツキを補正するために工場出荷時に予め適正値が設定され、また、感光体の交換時などのメンテナンス時にサービスマンにより再設定されるものである。」（以下「引用発明」という。）
　
４　対比
　本願補正発明と引用発明とを対比する。
（１）引用発明の「感光体」、「照射」、「潜像を書き込む」、「ＬＥＤ素子」、「『ＬＥＤヘッド』の『１４３３６個のＬＥＤ素子より成るＬＥＤアレイ』」、「複写機」、「『感光体の感度等のバラツキを補正するために工場出荷時に予め適正値が設定』され、また、『感光体の交換時などのメンテナンス時にサービスマンにより再設定』される『前記プリンタＣＰＵからのデューティ比制御信号である発光光量設定信号』」、「プリンタＣＰＵ」、「濃度むら」、「補正」、「『各素子毎のバラツキを補正するための光量補正信号』であり、『デューティ比制御信号の補正信号』である『ＬＥＤ素子（ドット）毎の光量補正信号』」、「デューティ比制御信号である発光光量設定信号を前記光量補正部からのデューティ比制御信号の補正信号であるＬＥＤ素子（ドット）毎の光量補正信号に基づいて補正」、「ＬＥＤ素子が点灯する時間（デューティ比）」、「光量制御部」、「『決定』される『選択的に点灯』する『時間』」、「複数のＬＥＤ素子の各発光輝度を検出して所定値になるように制御する」及び「ＬＥＤドライバ回路及びＬＥＤヘッド」は、それぞれ、本願補正発明の「感光体」、「露光」、「画像を形成する」、「露光手段の光源」、「ＬＥＤ」、「画像形成装置」、「全体の光量を制御するための点灯時間基準値」、「設定手段」、「画像の濃度むら」、「補正」、「画像の濃度むらを補正するための各画素の濃度むら補正データ」、「点灯時間基準値を補正」、「各画素の点灯時間」、「演算手段」、「求められた点灯時間」、「各画素のＬＥＤの点灯を制御する」及び「点灯制御手段」に相当する。
　
（２）引用発明の「画像形成装置（複写機）」は、発光ダイオード（ＬＥＤ）素子を一列に配列したＬＥＤアレイの各素子を選択的に点灯してその光を感光体上に照射することにより潜像を書き込むＬＥＤ書き込み装置が適用されたものであるから、上記（１）に照らせば、本願補正発明の「感光体を露光することで画像を形成する露光手段の光源として自己走査型ＬＥＤを適用した画像形成装置」と、「感光体を露光することで画像を形成する露光手段の光源としてＬＥＤを適用した」ものである点で一致する。
　
（３）引用発明において、感光体の感度等のバラツキを補正するために工場出荷時に予め適正値が設定され、また、感光体の交換時などのメンテナンス時にサービスマンにより再設定されるデューティ比制御信号である発光光量設定信号は、「設定手段（プリンタＣＰＵ）」からの信号であるから、引用発明の「設定手段」と本願補正発明の「設定手段」とは、上記（１）に照らせば、「全体の光量を制御するための点灯時間基準値を設定する」ものである点で一致する。
　
（４）引用発明の「画像形成装置（複写機）」において、「画像の濃度むら（濃度むら）」はＬＥＤ素子の発光バラツキがそのまま現れるものであるから、複数のＬＥＤ素子の各発光輝度を検出して所定値になるように制御することは、「画像の濃度むら」を補正することになり、また、「演算手段（光量制御部）」が、前記「設定手段（プリンタＣＰＵ）」からの「全体の光量を制御するための点灯時間基準値（デューティ比制御信号である発光光量設定信号）」を前記ＬＥＤヘッドからフィードバックされた前記ＬＥＤ素子の各発光光量とデータテーブルに基づいて前記光量補正部が出力した「画像の濃度むらを補正するための各画素の濃度むら補正データ（各素子毎のバラツキを補正するための光量補正信号であり、デューティ比制御信号の補正信号であるＬＥＤ素子（ドット）毎の光量補正信号）」に基づいて補正しＬＥＤ素子が点灯する時間（デューティ比）を決定するための前記発光イネーブル信号として出力しているから、引用発明の「演算手段（光量制御部）」と本願補正発明の「前記画像の濃度むらを補正するための各画素の濃度むら補正データを前記点灯時間基準値に乗算することにより前記点灯時間基準値を補正して、各画素の点灯時間を求める演算手段」とは、「前記画像の濃度むらを補正するための各画素の濃度むら補正データにより前記点灯時間基準値を補正して、各画素の点灯時間を求める」ものである点で一致する。
　
（５）引用発明において、ＬＥＤ書き込み制御回路は、発光光量を決定するデューティ比制御信号である発光イネーブル信号を「点灯制御手段（ＬＥＤドライバ回路）」に出力し、「点灯制御手段（ＬＥＤヘッド）」では、転送された画像データを偶数ライン用シフトレジスタと奇数ライン用シフトレジスタ内の各ＬＥＤドット位置まで搬送し、次いで各ＬＥＤが前記デューティ比制御信号とその補正信号により決定される時間だけ選択的に点灯して感光体ドラム２５上を照射するようになっているから、上記（４）に照らせば、引用発明の「点灯制御手段（ＬＥＤドライバ回路及びＬＥＤヘッド）」と本願補正発明の「点灯制御手段」とは「前記演算手段により求められた点灯時間に基づいて、各画素のＬＥＤの点灯を制御する」点で一致する。
　
（６）上記（１）ないし（５）によれば、本願補正発明と引用発明とは、
「感光体を露光することで画像を形成する露光手段の光源としてＬＥＤを適用した画像形成装置であって、
　全体の光量を制御するための点灯時間基準値を設定する設定手段と、
　前記画像の濃度むらを補正するための各画素の濃度むら補正データにより前記点灯時間基準値を補正して、各画素の点灯時間を求める演算手段と、
　前記演算手段により求められた点灯時間に基づいて、各画素のＬＥＤの点灯を制御する点灯制御手段と、
　を有することを特徴とする画像形成装置。」である点で一致し、次の点で相違する。
　
相違点１：
　前記ＬＥＤが、本願補正発明では「自己走査型ＬＥＤ」であるのに対して、引用発明ではそうではない点。
　
相違点２：
　本願補正発明では、「前記画像の濃度むらを補正するための各画素の濃度むら補正データを前記点灯時間基準値に乗算することにより前記点灯時間基準値を補正」しているのに対して、引用発明では、前記画像の濃度むらを補正するための各画素の濃度むら補正データをどのように使って前記点灯時間基準値を補正しているか不明である点。
　
５　判断
　上記相違点１及び２について検討する。
（１）相違点１について
　ア　画像形成装置の露光手段として自己走査型ＬＥＤを用いたものは、本願出願前に周知である（以下「周知技術１」という。例．特開平８−２６４８３８号公報の【０００１】ないし【０００４】、特開平９−６９６５０号公報の【０００１】及び【０００２】、特開平９−１９９７６０号公報の【０００１】、【０００２】及び【００２５】、特開平１１−３０１０２０号公報の【０００１】及び【０００２】、特開平１１−３３４１４６号公報の【０００１】及び【０００２】、特開２０００−２０３０７８号公報の【０００１】ないし【０００４】）。
　イ　引用発明の「画像形成装置」において、「感光体を露光することで画像を形成する露光手段の光源」として「自己走査型ＬＥＤ」を適用すること、すなわち、引用発明において、上記相違点１に係る本願補正発明の構成となすことは、当業者が周知技術１に基づいて容易になし得た程度のことである。
　
（２）相違点２について
　ア　発光光量のばらつき補正データを画像データに乗算することにより画像濃度補正を行うことは、本願出願前に周知である（以下「周知技術２」という。例．特開平９−１３１９１８号公報（【００２１】、【００２２】、【００２６】及び【００８２】参照。）、特開平５−２８４３１０号公報（【００１８】参照。））。
　イ　引用発明の「画像形成装置」において、「前記画像の濃度むらを補正するための各画素の濃度むら補正データ」を「前記点灯時間基準値」に乗算することにより「前記点灯時間基準値」を補正するようにすること、すなわち、引用発明において、上記相違点２に係る本願補正発明の構成となすことは、当業者が周知技術２に基づいて容易になし得た程度のことである。
　
（３）効果について
　本願補正発明の奏する効果は、引用発明の奏する効果、周知技術１の奏する効果及び周知技術２の奏する効果から、当業者が予測できた程度のものである。
　
（４）まとめ
　以上のとおりであるから、本願補正発明は、当業者が引用例に記載された発明、周知技術１及び周知技術２に基づいて容易に発明をすることができたものである。
　したがって、本願補正発明は、特許法第２９条第２項の規定により、特許出願の際独立して特許を受けることができないものである。
　
６　小括
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし７に係る発明は、本願の願書に最初に添付された明細書の特許請求の範囲の請求項１ないし７に記載された事項によって特定されるものであるところ、請求項１に係る発明（以下「本願発明」という。）は、本願の願書に最初に添付された明細書及び図面の記載からみて、上記「第２〔理由〕１（１）」に本件補正前の請求項１として記載したとおりのものと認める。
　
２　引用例
　原査定の拒絶の理由に引用された引用例及びその記載事項は、前記「第２〔理由〕３」に記載したとおりである。
　
３　対比・判断　
　本願補正発明は、上記「第２〔理由〕２」で述べたとおり、本願発明を特定するために必要な事項について限定を付加したものに相当する。
　そうすると、本願発明の構成要件をすべて含みさらに限定を付加したものに相当する本願補正発明が、前記「第２〔理由〕５」に記載したとおり、当業者が引用例に記載された発明、周知技術１及び周知技術２に基づいて容易に発明をすることができたものであるから、本願発明も同様の理由により、当業者が引用例に記載された発明、周知技術１及び周知技術２に基づいて容易に発明をすることができたものである。
　
４　むすび
　本願発明は、当業者が引用例に記載された発明、周知技術１及び周知技術２に基づいて容易に発明をすることができたものであるから、特許法第２９条第２項の規定により特許を受けることができない。
　よって、結論のとおり審決する。